(57)【特許請求の範囲】
【請求項１】
屋内空間を区画する間仕切り装置であって、
主フレームと、
該主フレームから紐状物を介して昇降自在に垂下される間仕切り構造体と、
前記主フレームに備えられており、前記紐状物を巻き上げ又は繰り出して前記間仕切り構造体を昇降する主操作手段と、
を備え、
前記間仕切り構造体は、
従フレームと、
該従フレームから垂下されており、下部をロール状に巻くことによってロール部分が上昇し、展開することによってロール部分が下降するタイプであり、上下の長さを調節することにより間仕切り面積が変わる間仕切り要素と、
前記従フレームに備えられており、前記間仕切り要素を下側から巻き上げ、その巻き上げたロール部分の両側を、大きさを調節した輪の部分で保持して、前記間仕切り要素の上下の長さを調節する、輪状に形成された巻き上げコードを有する従操作手段と、
を備える
間仕切り装置。
【請求項２】
前記間仕切り構造体が、ロールアップすだれ又はロールアップスクリーンである
請求項１の間仕切り装置。
【発明の詳細な説明】
【技術分野】
【０００１】
本発明は、屋内空間を区画する間仕切り装置に関するものである。更に詳しくは、屋内空間における間仕切り部の下辺の高さ方向の位置を必要に応じて変更することができ、飲食店等において色々な仕様の客室に対応できる間仕切り装置に関する。
【背景技術】
【０００２】
例えば飲食店では、客数の多寡に合わせて広い客室を複数の狭い客室に区画したり、区画した客室を開放したりするために、可動式の間仕切り具を設けているところがある。このような間仕切り具として、例えば襖や衝立などがある。一つの会合に参加する人数が多い場合等、間仕切り具を取り除いて広い客室として使用するときは、取り除かれた間仕切り具は、運ばれて部屋の隅に収納されたり、別途準備された収納空間に収納される。
【０００３】
このような間仕切り具の運搬の手間を省き、収納空間を不要にするものとして、例えば天井や鴨居に取り付け、必要に応じて垂下して使用する巻き上げ式の「すだれ」がある（非特許文献１参照）。間仕切り具としてすだれを使用する場合、広い客室を複数の狭い客室に区画する際には、すだれの巻いた部分を繰り出して下ろし、すだれで区画した客室を開放するときは、すだれを設置された位置で巻き上げるだけでよいので、従来のような運搬の手間が省けると共に、収納空間も不要である。
【先行技術文献】
【特許文献】
【０００４】
【非特許文献１】インターネット<URL:http://www.sudare.info/shop/tenpo.html>
【発明の概要】
【発明が解決しようとする課題】
【０００５】
しかしながら、前記非特許文献１に開示された「すだれ」には次のような課題があった。すなわち、飲食店等における間仕切り具は、区画され隣接する客室間の目隠しとしての機能が必要であり、目隠しとする場合のすだれによる間仕切り位置は、各飲食店によって異なる。例えば食卓に座卓を使用する飲食店の場合は、床に近い位置まですだれの下辺が下がらないと目隠しの機能を発揮できない。また、食卓にテーブルと椅子とを使用する飲食店の場合は、テーブルのやや下側の位置まですだれの下辺が下がればよいが、テーブルの高さは必ずしも一定ではない。また、すだれの上端部が取り付けられる天井や鴨居から床面までの高さも必ずしも同じではない。
【０００６】
前記課題は、すだれの長さを長くすれば解決できると考えられるが、すだれの長さを長くすると重量も重くなり、天井や鴨居に取り付けたときの取付部にかかる負荷が大きくなるために、そのための対策が必要となる。更には、前記すだれの重量が重くなる問題を回避しながら色々な仕様の客室に対応できるようにするためには、すだれの上下方向の長さ等の間仕切り面積が異なる複数の製品を準備しなければならない。
【０００７】
（本発明の目的）
本発明は、屋内空間を区画する間仕切り装置であって、屋内空間における間仕切り部の下辺の高さ方向の位置を必要に応じて変更することができ、飲食店等において色々な仕様の客室に対応できる間仕切り装置を提供することを目的とする。
【課題を解決するための手段】
【０００８】
上記課題を解決するために本発明が講じた手段は次のとおりである。
（１）本発明は、
屋内空間を区画する間仕切り装置であって、
主フレームと、
該主フレームから紐状物を介して昇降自在に垂下される間仕切り構造体と、
前記主フレームに備えられており、前記紐状物を巻き上げ又は繰り出して前記間仕切り構造体を昇降する主操作手段と、
を備え、
前記間仕切り構造体は、
従フレームと、
該従フレームから垂下されており、下部をロール状に巻くことによってロール部分が上昇し、展開することによってロール部分が下降するタイプであり、上下の長さを調節することにより間仕切り面積が変わる間仕切り要素と、
前記従フレームに備えられており、前記間仕切り要素を下側から巻き上げ、その巻き上げたロール部分の両側を、大きさを調節した輪の部分で保持して、前記間仕切り要素の上下の長さを調節する、輪状に形成された巻き上げコードを有する従操作手段と、
を備える
間仕切り装置である。
【０００９】
（２）本発明は、
前記間仕切り構造体が、ロールアップすだれ又はロールアップスクリーンである
前記（１）の間仕切り装置である。
【００１３】
本明細書及び特許請求の範囲にいう紐状物としては、紐の他、例えば縄、綱、鎖、ベルト、ケーブル等があげられるが、これらに限定されるものではない。
【００１４】
間仕切り要素の上下の長さを調節する等して面積を変える間仕切り構造体としては、例えば、ロールアップすだれ、ロールアップスクリーンの他、例えばプリーツスクリーン、ブラインドスクリーン等があるが、これらに限定されるものではない。
【００１５】
なお、本明細書及び特許請求の範囲にいう主フレームと主操作手段の「主」、及び従フレームと従操作手段の「従」の語句は、あくまでも、複数あるフレーム及び操作手段をそれぞれ区別するために使用したもので、各フレーム及び各操作手段に順位や順番をつける意味はない。
【００１６】
（作用）
本発明に係る間仕切り装置の作用を説明する。
間仕切り装置を、例えば飲食店等の客室の空間の間仕切りとして使用する際には、まず間仕切り装置の主フレームを客室の天井又は鴨居の適宜位置に取り付けて、間仕切り装置を必要な数だけ並設する等して吊り下げる。そして、主フレームに備えられている主操作手段を操作し、間仕切り構造体を昇降させて適当な高さに設定する。
【００１７】
例えば、客室の各座席が椅子席の場合は、座る人の目線が高いので、間仕切り構造体の下辺がやや高くなるようにする。また、畳や床に直接座るような座席の場合は、座る人の目線は低くなるので、間仕切り構造体の下辺がやや低くなるようにする。
【００１８】
このように、座席の様式に合わせて間仕切り構造体を昇降し、下辺の高さ方向の位置を必要に応じて変更することにより、間仕切り装置を客室の間仕切りとして使用することができる。したがって、従来のように多くの種類のすだれを準備することなく、飲食店等において色々な仕様の客室に対応できる。
【００１９】
また、主フレームから垂下された紐状物に取り付けられている間仕切り構造体は、例えば上端部の従フレームに紐状物が接続されて吊り下げられることになるので、主操作手段を操作して間仕切り構造体を下降させると、主フレームの取付部である天井又は鴨居と間仕切り構造体の上辺との間に隙間又は空間をつくることができる。この隙間又は空間は通気空間となり、間仕切り装置で間仕切りされた屋内空間の間の通気が前記通気空間によって良好に行われるようになり、屋内の区画された複数の空間の間で空調に差が出ることを防止できる。
【００２０】
間仕切り構造体が、従フレームと、従フレームから垂下されており垂直方向に巻き取り、折り畳み又は積み重ねられて間仕切り面積を変える間仕切り要素と、従フレームに備えられており間仕切り要素の下辺となる部分を昇降させて間仕切り要素の面積を変える従操作手段とを備えているものは、間仕切り要素の下辺の高さは、従操作手段を操作することにより必要に応じて調節することができる。
【００２１】
すなわち、間仕切り要素の下辺の高さを調節する場合、間仕切り要素の上下方向の長さを変えないで、前記したように主操作手段により間仕切り構造体全体の高さを変えて行うこともできるし、反対に間仕切り構造体全体の高さを変えないで、従操作手段により間仕切り要素の上下方向の長さを変えて行うこともできる。また、間仕切り要素の上下方向の長さと間仕切り構造体全体の高さの両方を変えて調節することもできる。
【００２２】
このように、間仕切り装置は、間仕切り要素の下辺の高さを変えて覆う広さを調節する際に、間仕切り構造体全体の高さを変える方法と間仕切り要素の上下方向の長さを変える方法の二つの方法を適宜単独で、又は組合せて行うことができるので、間仕切りをする空間の状況に対応した、より細かな調節が可能になる。
【発明の効果】
【００２３】
（ａ）本発明は、例えば飲食店等の客室の空間の間仕切りとして使用する際に、座席の様式に合わせて間仕切り構造体を昇降し、下辺の高さ方向の位置を必要に応じて変更することにより、色々な仕様の客室に対応して間仕切り装置を客室の間仕切りとして使用することができる。
【００２４】
（ｂ）主フレームから垂下された紐状物に取り付けられている間仕切り構造体は、例えば上端部の従フレームに紐状物が接続されて吊り下げられることになるので、主操作手段を操作して間仕切り構造体を下降させると、主フレームの取付部である天井又は鴨居と間仕切り構造体の上辺との間に隙間又は空間をつくることができる。この隙間又は空間は通気空間となり、間仕切り装置で間仕切りされた屋内空間の間の通気が前記通気空間によって良好に行われるようになり、屋内の区画された複数の空間の間で空調に差が出ることを防止できる。
【００２５】
（ｃ）間仕切り構造体が、従フレームと、従フレームから垂下されており垂直方向に巻き取り、折り畳み又は積み重ねられて間仕切り面積を変える間仕切り要素と、従フレームに備えられており間仕切り要素の下辺となる部分を昇降させて間仕切り要素の面積を変える従操作手段とを備えているものは、間仕切り要素の下辺の高さを従操作手段を操作することにより必要に応じて調節することができる。すなわち、間仕切り要素の下辺の高さを変えて覆う広さを調節する際に、間仕切り構造体全体の高さを変える方法と間仕切り要素の上下方向の長さを変える方法の二つの方法を適宜単独で、又は組合せて行うことができるので、間仕切りをする空間の状況に対応した、より細かな調節が可能になる。
【図面の簡単な説明】
【００２６】
【図１】本発明に係る間仕切り装置の第１の実施の形態を示す斜視図である。
【図２】間仕切り装置の他の形態であり、（ａ）は第１参考例を示し、（ｂ）は第２実施の形態を示し、（ｃ）は第２参考例を示し、（ｄ）は第３参考例を示す説明図である。
【図３】間仕切り装置の第１の使用状態を示す説明図である。
【図４】間仕切り装置の第２の使用状態を示す説明図である。
【発明を実施するための形態】
【００２７】
〔実施の形態〕
【００２８】
本発明を図面に示した実施の形態に基づき詳細に説明する。
図１及び図２を参照する。
【００２９】
間仕切り装置Ａ１は、天井又は鴨居に直接的に、又は間接的に取り付ける主フレームである取付フレーム１と、取付フレーム１から垂下される後記吊下コード１３、１４の先端に取り付けられた間仕切り構造体であるロールアップすだれ２とを備えている。間仕切り装置Ａ１は、飲食店等の店舗や一般家屋の屋内空間の天井又は鴨居から吊り下げて、屋内空間を複数に仕切る間仕切りとして使用できるものである。
【００３０】
取付フレーム１は、所要の長さを有する金属製の箱体であり、取付アングル（図示省略）等によって屋内空間を形成する天井又は鴨居に取り付けることができる。取付フレーム１は、内部に回転軸１０（図１には図示していないが、後記図２（ａ）に図示しているのでそれを参照する：以下の主操作手段も同様）が軸支されている。回転軸１０の一端部には、回転軸１０が逆転（繰り出し方向の回転）しないようにロックすることができるロック装置１１を介在させてループ状の操作チェーン１２が取り付けられている。
【００３１】
また、回転軸１０には、軸線方向に所要の間隔をおいて二箇所に巻取ドラム１３０、１４０が固定され、巻取ドラム１３０、１４０には紐状物である吊下コード１３、１４が基端を接続して巻き取りと繰り出し自在に取り付けられている。前記巻取ドラム１３０、１４０を有する回転軸１０、ロック装置１１及び操作チェーン１２は、主操作手段を構成している。
【００３２】
なお、取付フレーム１の前部側には、後記すだれ２０と同様に竹製のすだれで形成された前飾り１００が取り付けられている。この前飾り１００は、取付フレーム１の金属部分の正面側が外部から見えないようにして、天然素材の風合いを損なうことがないようにするものであり、面ファスナ（図示省略）によって着脱が自在である。
【００３３】
前記ロールアップすだれ２は、下部をロール状に巻くことによってロール自体が上昇し、ロールを展開することによってロール自体が下降するタイプであり、上下方向に丸めることができる竹製のすだれ２０を有している。間仕切り要素であるすだれ２０は、前記取付フレーム１の長さとほぼ同じ幅を有し、上下方向に所要の長さを有している。すだれ２０の上端には、すだれ２０の幅とほぼ同じ長さの従フレームである上端フレーム２１が固定されており、すだれ２０の下端には下端部材（図では見えない）が固定されている。
【００３４】
上端フレーム２１は、所要の長さを有する竹製の部材である。上端フレーム２１の側部には、長さ方向に所要間隔をおいて二箇所に滑車２３、２４が取り付けられている。滑車２３、２４には、それぞれ紐状物である巻き上げコード２５、２６が掛けられている。巻き上げコード２５、２６の先端は、前記滑車２３、２４の間隔と同じ間隔で上端フレーム２１に接続されている。
【００３５】
また、巻き上げコード２５、２６の基端側は、上端フレーム２１の一端側に固定され巻き上げコード２５、２６の繰り下ろしをロックするロック装置２７を介在させて外部へ延長して下方へ垂らされている。この垂らされた部分は、一体になるよう結ばれて操作コード２８となっている。
【００３６】
前記巻き上げコード２５、２６は、上端フレーム２１に対する接続部と前記滑車２３、２４に対する巻き掛け部との間の部分が、すだれ２０の下側の巻き上げた部分を保持することができるように輪状に形成されている。前記滑車２３、２４、巻き上げコード２５、２６、ロック装置２７及び操作コード２８は、すだれ２０の下辺となる部分を昇降させてすだれ２０の上下の長さを調節することにより、すだれ２０の間仕切り面積を変える従操作手段を構成している。
【００３７】
なお、間仕切り装置Ａ１の前記ロールアップすだれ２は、取付フレーム１から垂下される吊下コード１３、１４の先端を上端フレーム２１に接続して取付フレーム１とつながっており、前記主操作手段の操作チェーン１２を正逆方向へ周動操作することによって昇降させることができる。
【００３８】
次に、図２を参照して、本発明に係る間仕切り装置の他の実施の形態を説明する。
図２（ａ）は本発明の第１参考例である間仕切り装置Ａ２を示す。なお、図２（ａ）において、前記間仕切り装置Ａ１と同等箇所には、同一の符号を付して示している。
【００３９】
間仕切り装置Ａ２は、取付フレーム１と、通常は間仕切り面積（広さ又は形状）を変えずに使用される間仕切り構造体であるスクリーン２ａを有している。取付フレーム１には、前記間仕切り装置Ａ１と同様に巻取ドラム１３０、１４０を有する回転軸１０、ロック装置１１及び操作チェーン１２で構成される主操作手段が取り付けられている。
【００４０】
スクリーン２ａは、縦長で長方形状の布製の間仕切り要素であるスクリーン本体２０ａを有し、スクリーン本体２０ａの上端には上端フレーム２１ａが取り付けられており、下端には下端部材２２ａが取り付けられている。そして、スクリーン２ａは、吊下コード１３、１４の先端を前記上端フレーム２１ａに接続して取付フレーム１とつながっている。
【００４１】
なお、スクリーン２ａは、例えばタペストリーのように通常は間仕切り面積を変えずに使用されるものであるが、必要に応じて下側をたくし上げたり丸めて吊り紐等で支えることにより、スクリーン本体２０ａの上下方向の長さを変えて使用することもできる。
【００４２】
間仕切り装置Ａ２は、操作チェーン１２を周動操作し、スクリーン２ａを昇降させてスクリーン２ａの下辺の高さを必要に応じて変更し、適当な高さに調節することにより、前記間仕切り装置Ａ１と同様に色々な仕様の客室に対応して客室の間仕切りとして使用することができる。また、天井３１とスクリーン２ａの上辺との間に通気空間３２をつくることができる。
【００４３】
図２（ｂ）は本発明の第２実施の形態である間仕切り装置Ａ３を示す。
なお、図２（ｂ）において、前記間仕切り装置Ａ１と同等箇所には、同一の符号を付して示している。
間仕切り装置Ａ３は、主フレームである取付フレーム１ｂと前記間仕切り装置Ａ１のロールアップすだれ２と同じ構造のロールアップすだれ２を有している。
【００４４】
取付フレーム１ｂは、所要の長さを有する金属製の箱体であり、取付フレーム１ｂには長さ方向に所要間隔をおいて二箇所に滑車１５、１６が取り付けられている。滑車１５、１６には、それぞれ巻き上げコード１７、１８が掛けられている。巻き上げコード１７、１８の先端（下端）は、前記滑車１５、１６の間隔と同じ間隔でロールアップすだれ２上端の上端フレーム２１に接続されている。
【００４５】
また、巻き上げコード１７、１８の基端側は、取付フレーム１ｂの内部を通り取付フレーム１ｂの一端側に固定され巻き上げコード１７、１８の繰り下ろしをロックするロック装置１１ｂを介在させて外部へ延長して下方へ垂らされており、この垂らされた部分は操作コード１９となっている。
【００４６】
間仕切り装置Ａ３の構造は、前記間仕切り装置Ａ１とは、取付フレーム１ｂに取り付けられた滑車１５、１６等、ロールアップすだれ２を昇降操作する装置が異なるだけであり、間仕切り装置Ａ３の作用は、ロールアップすだれ２の昇降操作を除いて後記間仕切り装置Ａ１の作用とほぼ同様である。
【００４７】
図２（ｃ）は本発明の第２参考例である間仕切り装置Ａ４を示す。
なお、図２（ｃ）において、前記間仕切り装置Ａ２、Ａ３と同等箇所には、同一の符号を付して示している。
間仕切り装置Ａ４は、前記間仕切り装置Ａ３の取付フレーム１ｂと同じ構造の取付フレーム１ｂと、前記間仕切り装置Ａ２のスクリーン２ａと同じ構造のスクリーン２ａを組み合わせた構造である。
【００４８】
間仕切り装置Ａ４の構造は、前記間仕切り装置Ａ２とは、取付フレーム１ｂに取り付けられた滑車１５、１６等、スクリーン２ａを昇降操作する手段が異なるだけであり、間仕切り装置Ａ４の作用は、後記間仕切り装置Ａ１の作用とほぼ同様である。
【００４９】
図２（ｄ）は本発明の第３参考例である間仕切り装置Ａ５を示す。
なお、図２（ｄ）において、前記間仕切り装置Ａ３と同等箇所には、同一の符号を付して示している。
間仕切り装置Ａ５は、前記間仕切り装置Ａ３の取付フレーム１ｂと同じ構造の取付フレーム１ｂと、すだれ２０ｄを上部側で巻き取るロールアップすだれ２ｄを組み合わせた構造である。
【００５０】
ロールアップすだれ２ｄは、前記のように上部側で巻き取り又は繰り出しが行われるタイプであり、バネ式の巻取装置２００を有している。巻取装置２００は、従フレームである上端フレーム２０１に取り付けられ、取付フレーム１ｂから垂下される吊下コード１７、１８の先端は上端フレーム２０１に接続されている。
【００５１】
巻取装置２００には、すだれ２０ｄが取り付けられている。巻取装置２００は、すだれ２０ｄの下端側を引き降ろすことによる繰り出し回転時にバネが付勢されると共に適宜繰り出し位置ですだれ２０ｄがロックされ、付勢解除操作によってバネの付勢力を利用してすだれ２０ｄが巻き取られる公知の構造であるので、詳しい説明は省略する。
【００５２】
間仕切り装置Ａ５の構造は、前記間仕切り装置Ａ３とは、ロールアップすだれ２ｄの構造とすだれ２０ｄの上下の長さを調節する操作が異なるだけであり、間仕切り装置Ａ５のその他の実質的な作用は、後記間仕切り装置Ａ１の作用とほぼ同様である。
【００５３】
（作用）
図１乃至図４を参照して、前記間仕切り装置Ａ１の作用を説明する。
まず、図３に示すように三台の間仕切り装置Ａ１を飲食店等の客室３０の天井３１に各取付フレーム１を固定して相互間にほぼ隙間がないように並設して吊り下げる。なお、場合によっては、客室間の鴨居（図示省略）に吊り下げることもできる。
【００５４】
そして、各間仕切り装置Ａ１の操作チェーン１２を周動操作して、各ロールアップすだれ２を昇降させ、客室３０の空間を間仕切りする上で好適な高さに位置させる。
次に、各ロールアップすだれ２のすだれ２０を下側から巻き上げ、その巻いたロール部分の下辺と床３３の間の間隔Ｌ２が適当な高さになったところで、操作コード２８を操作して、巻き上げコード２５、２６の輪の部分の大きさを調節し、この輪の部分ですだれ２０の下側のロール部分を保持するようにする。
【００５５】
このようにして、各間仕切り装置Ａ１を図３に示すように飲食店等の客室３０を二つの空間に仕切る間仕切りとして使用することができる。
なお、各間仕切り装置Ａ１のロールアップすだれ２の高さ、特にロールアップすだれ２の下辺の高さは、必要に応じて調節することができる。例えば、客室３０の各席が椅子席の場合は座る人の目線が高いので、ロールアップすだれ２の下辺がやや高くなるように設定することができ、また、畳や床に直接座るような座席の場合は座る人の目線は低くなるので、ロールアップすだれ２の下辺がやや低くなるように設定することができる。
【００５６】
前記ロールアップすだれ２の下辺の高さの調節は、第１にロールアップすだれ２のすだれ２０の上下方向の長さを変えないで操作チェーン１２を操作してロールアップすだれ２全体の高さを変えて行うことができ、第２に反対にロールアップすだれ２全体の高さを変えないで操作コード２８を操作してすだれ２０の上下方向の長さを変えて行うことができる。また、第３にすだれ２０の上下方向の長さとロールアップすだれ２全体の高さの両方を変えて調節することもできる。
【００５７】
このように、間仕切り装置Ａ１は、ロールアップすだれ２により覆う広さを調節する際に、屋内空間におけるロールアップすだれ２の高さ方向の位置を必要に応じて変更できると共にすだれ２０自体の間仕切り面積を必要に応じて変更できる。すなわち、ロールアップすだれ２全体の高さを変える方法とすだれ２０の上下方向の長さ（間仕切り面積）を変える方法の二つの方法を適宜単独で、又は組合せて行うことができるので、間仕切りをする空間の状況に対応した、より細かな調節が可能になり、従来のように多くの種類のすだれを準備することなく、飲食店等において色々な仕様の客室に対応できる。
【００５８】
また、前記各間仕切り装置Ａ１の調節に伴い、天井３１と各ロールアップすだれ２の上端フレーム２１との間に間隔Ｌ１の上下幅を有する通気空間３２が形成される。このように通気空間３２が形成されることにより、間仕切り装置Ａ１で間仕切りされた空間の間の通気が、この通気空間３２によって良好に行われるようになり、複数の空間の間で空調に差が出ることを防止できる。
【００５９】
図４は、前記間仕切り装置Ａ５の使用状態を示している。
間仕切り装置Ａ５は、天井３１から吊り下げてテーブル４、４ａの間に降ろし、客席を仕切るようにしてある。この場合の作用、効果については、前記図３に示した間仕切り装置Ａ１の場合とほぼ同様であるので、説明は省略する。
なお、間仕切り装置Ａ１、Ａ５以外の前記間仕切り装置Ａ２、Ａ３、Ａ４についても、間仕切り装置Ａ１、Ａ５と同様に屋内空間の間仕切りとして使用することができる。
【００６０】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００６１】
Ａ１  間仕切り装置
１  取付フレーム
１０  回転軸
１１  ロック装置
１２  操作チェーン
１３、１４  吊下コード
１３０、１４０  巻取ドラム
１００  前飾り
２  ロールアップすだれ
２０  すだれ
２１  上端フレーム
２３、２４  滑車
２５、２６  巻き上げコード
２７  ロック装置
２８  操作コード
３０  客室
３１  天井
３２  通気空間
３３  床
４、４ａ  テーブル
Ｌ１、Ｌ２  間隔
Ａ２  間仕切り装置
２ａ  スクリーン
２０ａ  スクリーン本体
２１ａ  上端フレーム
２２ａ  下端部材
Ａ３  間仕切り装置
１ｂ  取付フレーム
１１ｂ  ロック装置
１５、１６  滑車
１７、１８  巻き上げコード
１９  操作コード
Ａ４  間仕切り装置
Ａ５  間仕切り装置
２ｄ  ロールアップすだれ
２０ｄ  すだれ
２００  巻取装置
２０１  上端フレーム
【図１】
0005584725.tif 000002
【図２】
0005584725.tif 000003
【図３】
0005584725.tif 000004
【図４】
0005584725.tif 000005